(57)【特許請求の範囲】
【請求項１】
少なくとも２つの加入者識別モジュール（ＳＩＭ）と、少なくとも２つの無線機とを有するユーザ端末装置（ＵＥ）でデータ伝送を実行するための方法であって、
前記ＵＥの第１の無線機で第１の音声通話を実行するステップと、
前記ＵＥの第２の無線機で第２の音声通話を実行するステップと、ここで、前記第２の無線機で前記第２の音声通話を実行する前記ステップは、前記第１の無線機で前記第１の音声通話を実行する前記ステップと同時に実行され、
前記第１の音声通話および前記第２の音声通話を実行する前記ステップの間に、前記ＵＥでのデータ通信の実行の要求を受信するステップと、
前記データ通信の実行の前記要求を受信する前記ステップの後、前記第１の無線機および前記第２の無線機の１つが現在保留されている音声通話を有するかどうかを判定するステップと、
前記第１の無線機および前記第２の無線機の一方が現在保留されている音声通話を有すると判定されれば、該判定された無線機で前記音声通話が保留されている間に該判定された無線機で前記データ通信を実行するステップと、
前記判定された無線機で前記音声通話が保留されている間に前記判定された無線機で前記データ通信を実行する前記ステップの後、前記判定された無線機がもはや現在保留中の音声通話を有していないことを判定するステップと、
前記第１の無線機および前記第２の無線機の他方が現在保留中の音声通話を有することを判定するステップと、
前記音声通話が前記他方の無線機で保留されている間に前記他方の無線機でさらなるデータ通信を実行するステップと、
を有することを特徴とする方法。
【請求項２】
少なくとも２つの加入者識別モジュール（ＳＩＭ）と、少なくとも２つの無線機とを有するユーザ端末装置（ＵＥ）でデータ伝送を実行するための方法であって、
前記ＵＥの第１の無線機で第１の音声通話を実行するステップと、
前記ＵＥの第２の無線機で第２の音声通話を実行するステップと、ここで、前記第２の無線機で前記第２の音声通話を実行する前記ステップは、前記第１の無線機で前記第１の音声通話を実行する前記ステップと同時に実行され、
前記第１の音声通話および前記第２の音声通話を実行する前記ステップの間に、前記ＵＥでのデータ通信の実行の要求を受信するステップと、
前記データ通信の実行の前記要求を受信する前記ステップの後、前記第１の無線機および前記第２の無線機の１つが現在保留されている音声通話を有するかどうかを判定するステップと、
前記第１の無線機および前記第２の無線機の一方が現在保留されている音声通話を有すると判定されれば、該判定された無線機で前記音声通話が保留されている間に該判定された無線機で前記データ通信を実行するステップと、を有し、
前記判定された無線機は、オン期間およびオフ期間を有する不連続受信（ＤＲＸ）モードを用いて前記音声通話を実行し、
前記音声通話が保留されている間に前記判定された無線機で前記データ通信を実行する前記ステップが、前記判定された無線機で前記ＤＲＸモードの前記オフ期間中に前記データ通信を実行するステップを有する、
ことを特徴とする方法。
【請求項３】
前記判定された無線機は、前記音声通話を第１の無線アクセス技術（ＲＡＴ）を用いて実行し、
前記データ通信を実行する前記ステップは前記第１のＲＡＴと異なる第２のＲＡＴを用いて実行される、
ことを特徴とする請求項１または２に記載の方法。
【請求項４】
前記第１のＲＡＴは、ＧＳＭ(Global System for Mobile Communications)または１ｘ(Code Division Multiple Access 2000 (CDMA2000) 1xRTT)の１つであり、
前記第２のＲＡＴは、ＬＴＥ(Long Term Evolution)である、
ことを特徴とする請求項３に記載の方法。
【請求項５】
前記第１の無線機および前記第２の無線機のどちらが現在保留されている音声通話を有するかに基づいて、前記データ通信を実行するために、利用可能なスロットを前記第１の無線機および前記第２の無線機から動的に選択するステップをさらに有することを特徴とする請求項１または２に記載の方法。
【請求項６】
前記第１の無線機は第１の送信／受信チェーンを有し、
前記第２の無線機は第２の送信／受信チェーンを有し、
前記データ通信は、前記ＵＥによるデータ送信を有し、
利用可能なスロットを動的に選択する前記ステップが、現在保留されている音声通話を有する、前記第１の無線機および前記第２の無線機の一方の前記送信チェーンで利用可能な送信タイムスロットを探索するステップを有する、
ことを特徴とする請求項５に記載の方法。
【請求項７】
前記第１の無線機は第１の送信／受信チェーンを有し、
前記第２の無線機は第２の送信／受信チェーンを有し、
前記データ通信は、前記ＵＥによるデータ受信を有し、
利用可能なスロットを動的に選択する前記ステップが、現在保留されている音声通話を有する、前記第１の無線機および前記第２の無線機の一方の前記受信チェーンで利用可能な受信タイムスロットを探索するステップを有する、
ことを特徴とする請求項５に記載の方法。
【請求項８】
現在保留されている音声通話を前記第１の無線機および前記第２の無線機のいずれも有さない場合、前記データ通信を実行するために、利用可能なスロットを前記第１の無線機および前記第２の無線機から動的に選択するステップをさらに有することを特徴とする請求項１または２に記載の方法。
【請求項９】
前記第１の無線機は第１の送信／受信チェーンを有し、
前記第２の無線機は第２の送信／受信チェーンを有し、
前記データ通信は、前記ＵＥによるデータ送信を有し、
利用可能なスロットを動的に選択する前記ステップが、前記第１の無線機および前記第２の無線機のそれぞれの前記送信チェーンで利用可能な送信タイムスロットを動的に探索するステップを有する、
ことを特徴とする請求項８に記載の方法。
【請求項１０】
前記第１の無線機は第１の送信／受信チェーンを有し、
前記第２の無線機は第２の送信／受信チェーンを有し、
前記データ通信は、前記ＵＥによるデータ受信を有し、
利用可能なスロットを動的に選択する前記ステップが、前記第１の無線機および前記第２の無線機のそれぞれの前記受信チェーンで利用可能な受信タイムスロットを動的に探索するステップを有する、
ことを特徴とする請求項８に記載の方法。
【請求項１１】
少なくとも２つの加入者識別モジュール（ＳＩＭ）と、少なくとも２つの無線機とを有するユーザ端末装置（ＵＥ）でデータ伝送を実行するための方法であって、
前記ＵＥの第１の無線機で第１の音声通話を実行するステップと、ここで、前記第１の音声通話はアクティブであり、
前記ＵＥの第２の無線機で第２の音声通話を実行するステップと、ここで、前記第２の音声通話は保留されており、前記第２の無線機で前記第２の音声通話を実行する前記ステップは、前記第１の無線機で前記第１の音声通話を実行する前記ステップと同時に実行され、
前記第１の音声通話および前記第２の音声通話を実行する前記ステップの間に、前記ＵＥでのデータ通信の実行の要求を受信するステップと、
前記データ通信の実行の前記要求を受信する前記ステップの後、前記第２の無線機での前記第２の音声通話が現在保留されていることを判定するステップと、
前記第２の無線機での前記第２の音声通話が保留されていることの判定に応答して、前記第２の無線機で前記データ通信を実行するステップと、
前記第２の無線機での前記第２の音声通話が保留されているとの判定に応答して前記第２の無線機で前記データ通信を実行する前記ステップの後、前記第２の音声通話がもはや保留されていないことを判定するステップと、
前記第２の音声通話がもはや保留されていないことを判定する前記ステップの後に、前記第１の無線機での前記第１の音声通話が現在保留されていることを判定するステップと、
前記第１の音声通話が前記第１の無線機で保留されていることの判定に応答して、前記第１の無線機でさらなるデータ通信を実行するステップと、
を有することを特徴とする方法。
【請求項１２】
データ伝送を実行するように構成されたユーザ端末装置（ＵＥ）であって、
第１の無線機と、
第２の無線機と、
前記第１の無線機および前記第２の無線機に接続された１つ以上のプロセッサと、を有し、
前記１つ以上のプロセッサが、
前記第１の無線機によって第１の音声通話を実行し、
前記第２の無線機によって第２の音声通話を実行し、ここで、前記第２の音声通話の前記実行は前記第１の音声通話の前記実行と同時に行われ、
前記第１の音声通話および前記第２の音声通話の前記実行中に、データ通信の実行の要求を受信し、
前記第１の音声通話および前記第２の音声通話の一方が現在保留されているかどうかを、前記データ通信の実行の前記要求の前記受信後に判定し、
前記第１の音声通話および前記第２の音声通話の一方が保留されていると判定された場合、前記第１の無線機および前記第２の無線機のうち、該判定された音声通話を実行中の一方によって前記データ通信を実行し、
前記第１の無線機および前記第２の無線機のうち、前記判定された音声通話を実行中の一方によって前記データ通信を実行した後、前記判定された音声通話がすでに保留されていないことを判定し、
前記第１の音声通話および前記第２の音声通話の他方が現在保留であることを判定し、
前記第１の音声通話および前記第２の音声通話の前記他方を実行中の、前記第１の無線機および前記第２の無線機の一方によってさらなるデータ通信を実行する、
ように構成されることを特徴とするＵＥ。
【請求項１３】
データ伝送を実行するように構成されたユーザ端末装置（ＵＥ）であって、
第１の無線機と、
第２の無線機と、
前記第１の無線機および前記第２の無線機に接続された１つ以上のプロセッサと、を有し、
前記１つ以上のプロセッサが、
前記第１の無線機によって第１の音声通話を実行し、
前記第２の無線機によって第２の音声通話を実行し、ここで、前記第２の音声通話の前記実行は前記第１の音声通話の前記実行と同時に行われ、
前記第１の音声通話および前記第２の音声通話の前記実行中に、データ通信の実行の要求を受信し、
前記第１の音声通話および前記第２の音声通話の一方が現在保留されているかどうかを、前記データ通信の実行の前記要求の前記受信後に判定し、
前記第１の音声通話および前記第２の音声通話の一方が保留されていると判定された場合、前記第１の無線機および前記第２の無線機のうち、該判定された音声通話を実行中の一方によって前記データ通信を実行する、ように構成され、
前記判定された音声通話が、オン期間およびオフ期間を有する不連続受信（ＤＲＸ）モードを用いて実行され、
前記１つ以上のプロセッサがさらに、前記判定された音声通話を実行中の、前記第１の無線機および前記第２の無線機の一方で、前記ＤＲＸモードの前記オフ期間中に前記データ通信を実行する、
ように構成されることを特徴とするＵＥ。
【請求項１４】
前記第１の音声通話をサポートするように構成された第１の加入者識別モジュール（ＳＩＭ）と、
前記第２の音声通話をサポートするように構成された第２のＳＩＭと、
をさらに有することを特徴とする請求項１２または１３に記載のＵＥ。
【請求項１５】
前記１つ以上のプロセッサがさらに、
前記第１の音声通話を実行するように構成された第１の無線アクセス技術（ＲＡＴ）スタックと、
前記第２の音声通話を実行するように構成された第２のＲＡＴスタックと、
前記データ通信を実行するように構成された第３のＲＡＴスタックと、
を実施するように構成されることを特徴とする請求項１２または１３に記載のＵＥ。
【請求項１６】
前記判定された音声通話を実行するように構成された、前記第１のＲＡＴスタックおよび前記第２のＲＡＴスタックの一方は、ＧＳＭスタックまたは１ｘスタックの１つであり、
前記第３のＲＡＴスタックは、ＬＴＥスタックである、
ことを特徴とする請求項１５に記載のＵＥ。
【請求項１７】
前記１つ以上のプロセッサがさらに、
前記第１の音声通話および前記第２の音声通話のどちらが現在保留されているかどうかに基づいて、前記データ通信を実行するために、利用可能なスロットを前記第１の無線機および前記第２の無線機から動的に選択する、
ように構成されることを特徴とする請求項１２または１３に記載のＵＥ。
【発明の詳細な説明】
【技術分野】
【０００１】
優先権に関する情報
本出願は、その全体が参照により本明細書に組み込まれる、2014年4月23日に出願された米国仮出願番号61/982915の優先権を主張するものである。
【０００２】
技術分野
本出願は、無線機器に関し、より詳細には、無線機器において複数のアクティブな音声通話との同時データ通信を可能にするためのシステムおよび方法に関する。
【背景技術】
【０００３】
関連技術の説明
無線通信システムの利用は急速に拡大している。また、無線通信技術は、音声のみの通信から、インターネットコンテンツおよびマルチメディアコンテンツのようなデータの伝送も含むように発展してきた。そのため、無線通信における改善が望まれている。
【０００４】
具体的には、ユーザ端末（ＵＥ）、例えば、携帯電話などの無線機器は、複数の加入者識別モジュール（ＳＩＭ）を利用可能であってよい。例えば、デュアルＳＩＭデュアルアクティブ（ＤＳＤＡ）ＵＥは、２つのアクティブな音声通話を同時に維持できるよう、２つのＳＩＭと２つの無線を用いることができる。例えば、ＤＳＤＡ ＵＥは、第１の音声通話を行いながら、第２の音声通話を受信し、２つの音声通話をどちらも切断することなく切り替えることが可能である。
【０００５】
ベースバンド処理能力の制限により、既存のＤＳＤＡ ＵＥはＧＳＭ(Global System for Mobile Communications：登録商標)だけをサポートする１つめのＳＩＭと、複数の無線アクセス技術(multi-ＲＡＴ)をサポートすることができる２つめのＳＩＭとの利用に限定されている。例えば、multi-ＲＡＴ ＳＩＭは、ＧＳＭ、”１ｘ”（符号分割多元接続２０００（ＣＤＭＡ２０００）１ｘ）、１ｘＥＶ−ＤＯ(Evolution-Data Only)、Ｗ−ＣＤＭＡ（広帯域符号分割多元接続）、およびＬＴＥ(Long Term Evolution)の１つ以上をサポートすることができる。multi-ＲＡＴ ＳＩＭが２つめの無線を用いながら、ＧＳＭ ＳＩＭが１つめの無線を用いる。無線の割り当ては固定である。
【０００６】
既存のＤＳＤＡ ＵＥでは、２つの音声通話がアクティブな間のデータ通信に制限がある。具体的には、２つのアクティブな音声通話と同時にデータ通信を行うための選択肢は、ＧＳＭ音声とＧＰＲＳ(General Packet Radio Service)データ、またはＷ−ＣＤＭＡ音声とＨＳＰＡ(High Speed Packet Access)データしかない。
【０００７】
したがって、２つのアクティブな音声通話を同時に行いながら、他のＲＡＴを用いてデータ通信を行うための、より多くの選択肢を提供することが望ましいであろう。
【発明の概要】
【０００８】
本明細書に記載される実施形態は、ユーザ端末（ＵＥ）と、２つのアクティブな音声通話と同時にデータ通信を行うための、ＵＥに関連する方法に関する。ＵＥは、それぞれが音声通話を行うための第１の無線機(radio)および第２の無線機であって、音声通話行うために同時に動作することのできる第１の無線機および第２の無線機を有することができる。ＵＥは、第１および第２の無線機が同時に音声通話を実行している間に、データ通信の実行要求を受信することができる。要求に応答してＵＥは、音声通話の１つが現在保留されているかどうか調べ、もしそうであれば、その”保留中”の通話を実行している無線機を、データ通信の実行に用いる。データ通信の実行後、ＵＥは、保留された音声コールが再開されたこと、およびもう一方の通話が保留されたことを見出してもよい。そしてＵＥは、保留中の通話を今実行しているもう一方の無線機を用いて、さらにデータ通信を行うことができる。
【０００９】
いくつかの実施形態において、保留中の通話の動作に用いられていたものとは別の無線アクセス技術（ＲＡＴ）プロトコルスタックを用いてデータ通信を実行してもよい。例えば、保留中の呼がＧＳＭや１ｘのようなＲＡＴを用いて実行されている場合であっても、ＬＴＥスタックを用いてデータ通信を実行することができる。ＵＥが無線機のそれぞれでデータ通信を挿入している場合、データ通信は、各無線機で同じＲＡＴプロトコルスタックを用いて実行することができる。
【００１０】
したがってＵＥは、第１の音声通話または第２の音声通話が現在保留中かどうかに基づいて、データ通信を実行するために利用可能なスロットを動的かつ日和見的に第１の無線機および第２の無線機から選択することができる。いくつかの実施形態において、保留中の音声通話を不連続受信（ＤＲＸ）モードおよび／または不連続送信（ＤＴＸ）モードを用いて実行してもよい。ＤＲＸおよびＤＴＸモードはそれぞれ、オン期間とオフ期間とを有する。ＵＥは、ＤＲＸおよび／またはＤＴＸモードのオフ期間中に、保留中の通話と同じ無線機を用いてデータ通信を実行してよい。いずれの通話も現在保留中でないと判断した場合、ＵＥは、データ通信を実行するために、第１の無線機および第２の無線機から利用可能なオフ期間スロットを動的に選択してよい。
【００１１】
この概要は、本明細書に記載された主題の態様の基本的な理解を提供するために、いくつかの例示的な実施形態を要約する目的で提供されている。したがって、上述した特徴は単なる例であり、本明細書に記載された主題の範囲または精神を狭めるように決して解されてはならない。本明細書で説明される主題の他の特徴、態様、および利点は、以下の詳細な説明、図面、および特許請求の範囲から明らかになるであろう。
【００１２】
以下の実施形態の詳細な説明を以下の図面とともに検討することにより、本開示のより良い理解を得ることができる。
【図面の簡単な説明】
【００１３】
【図１】実施形態に係る例示的なユーザ端末（ＵＥ）を示す図である。
【図２】ＵＥが２つの基地局と通信する例示的な無線通信システムを示す図である。
【図３】実施形態に係る基地局の例示的なブロック図である。
【図４】実施形態に係るＵＥの例示的なブロック図である。
【図５Ａ】個々の実施形態に係る、ＵＥの無線通信回路の例示的なブロック図である。
【図５Ｂ】個々の実施形態に係る、ＵＥの無線通信回路の例示的なブロック図である。
【図６】データ通信と２つの音声通信とを同時に実行するための例示的な方法を示すフローチャート図である。
【図７】実施形態に係るＵＥの例示的なブロック図である。
【発明を実施するための形態】
【００１４】
本開示に記載される実施形態は、様々な修正形態および代替形態を受け入れる余地があるが、それらのうち特定の実施形態が例として図面に示され、また本明細書において詳細に記載されている。しかしながら、図面およびその詳細な説明は、実施形態を開示された特定の形態に限定することを意図しておらず、むしろ、添付の特許請求の範囲の精神及び範囲に包含されるすべての変形物、均等物、及び代替物に及ぶことが意図されていることを理解すべきである。
【００１５】
略語
本開示において、以下の略語を用いる。
3GPP：第３世代パートナーシッププロジェクト
3GPP2：第３世代パートナーシッププロジェクト２
CDMA：符号分割多元接続
ＣＤＲＸ：接続不連続受信
ＤＲＸ：不連続受信
DSDA：デュアルＳＩＭデュアルアクティブ
ＤＴＸ：不連続送信
ＧＳＭ：Global System for Mobile Communication
ＬＴＥ：ロングタームエボリューション
ＲＡＴ：無線アクセス技術
ＲＸ：受信
ＳＩＭ：加入者識別モジュール
ＴＸ：送信
ＵＥ：ユーザ端末
ＵＭＴＳ：Universal Mobile Telecommunications System
【００１６】
用語
以下、本願で用いる用語に関して解説する。
記憶媒体 - 様々なタイプのメモリデバイスまたはストレージデバイスのいずれかである。用語「記憶媒体」は、例えばCD-ROM、フロッピーディスク（登録商標）、またはテープデバイスであるインストール媒体、DRAM、DDR RAM、SRAM、EDO RAM、ラムバスRAMなどのようなコンピュータシステムメモリまたはランダムアクセスメモリ、フラッシュメモリ（登録商標）のような不揮発性メモリ、例えばハードディスクドライブである磁気メディア、または光記憶装置、レジスタ、または他の同様な形式のメモリ素子などを含むことが意図されている。記憶媒体はさらに他のタイプのメモリや、それらの組み合わせを含むことができる。また、記憶媒体は、プログラムが実行される第１のコンピュータシステムに配置されてもよいし、インターネットなどのネットワークを介して第１のコンピュータシステムに接続する第２の異なるコンピュータシステム内に配置されてもよい。後者の場合、第２のコンピュータシステムは、実行のためにプログラム命令を第１のコンピュータに提供することができる。用語「記憶媒体」は、別の場所、例えばネットワークを介して接続された別のコンピュータシステム、に存在しうる２つ以上の記憶媒体を含むことができる。記憶媒体は、１つ以上のプロセッサによって実行されてもよい、（例えば、コンピュータプログラムとして実現された）プログラム命令を格納してもよい。
【００１７】
搬送媒体 - 上述したような記憶媒体、並びに、バス、ネットワーク、および／または電気信号、電磁気信号、またはデジタル信号のような信号を搬送する他の物理的伝送媒体のような物理的な伝送媒体である。
【００１８】
コンピュータシステム - パーソナルコンピュータシステム（ＰＣ）、メインフレームコンピュータシステム、ワークステーション、ネットワーク機器、インターネット機器、パーソナルデジタルアシスタント（ＰＤＡ）、パーソナル通信装置、スマートフォン、テレビジョンシステム、グリッドコンピューティングシステム、その他のデバイス、またはデバイスの組み合わせを含む、コンピューティングまたは処理システムの様々なタイプのいずれか。一般に、用語「コンピュータシステム」は記憶媒体からの命令を実行する少なくとも１つのプロセッサを有する任意のデバイス（またはデバイスの組み合わせ）を包含するために広く定義することができる。
【００１９】
ユーザ端末（ＵＥ）（または「ＵＥ装置」） - モバイルまたはポータブルであり、無線通信を行う、コンピュータシステム装置の様々なタイプのいずれか。ＵＥ装置の例には、携帯電話やスマートフォン（例えば、iPhone（商標）を、アンドロイド（商標）ベースの携帯電話）、携帯ゲーム機（例えば、ニンテンドーDS（商標）、プレイステーションポータブル（商標）、ゲームボーイアドバンス（商標）、iPhone（商標））、ノートパソコン、ＰＤＡ、携帯型インターネットデバイス、音楽プレイヤー、データ記憶装置、他のハンドヘルドデバイス、ならびに腕時計、ヘッドフォン、ペンダント、イヤフォンなどのウェアラブルデバイスなどが含まれる。用語「ＵＥ」または「ＵＥ装置」は、ユーザが容易に持ち運べ、無線通信が可能な任意の電子機器、コンピュータ機器、および／または通信機器（または機器の組み合わせ）を包含するように広く定義することができる。
【００２０】
基地局 - 用語「基地局」は、その一般的な全ての意味を有し、かつ、固定位置に設置されて無線電話システムまたは無線システムの一部として通信するために用いられる無線通信局を少なくとも含む。
【００２１】
処理要素 - 様々な要素または要素の組合せを指す。処理要素は例えば、ＡＳＩＣ（特定用途向け集積回路）のような回路、個々のプロセッサコアの一部または回路、プロセッサコア全体、個々のプロセッサ、フィールドプログラマブルゲートアレイ（ＦＰＧＡ）などのプログラマブルハードウェアデバイス、および／または複数のプロセッサを含むシステムの、より大きな部分を含む。
【００２２】
自動的に - 動作や操作を直接指定したり実行したりするユーザ入力なしに、コンピュータシステム（例えば、コンピュータシステムにより実行されるソフトウェア）や、デバイス（例えば、回路、プログラマブルハードウェア要素、ＡＳＩＣなど）によって実行される動作や操作を指す。したがって、用語「自動的に」は、ユーザが操作を直接実行するための入力を提供する、ユーザによって手動で実行または指定される操作とは対照的である。自動手順はユーザによって与えられる入力によって開始されてよいが、「自動的に」実行されるその後の動作はユーザにより指定されない（すなわち、ユーザが個々の動作の実行を指定する「手動の」実行はされない）。例えば、ユーザは、（例えば情報をタイプしたり、チェックボックスを選択したり、ラジオボタンを選択したりすることによって）各フィールドを選択し、情報を指定する入力を与えることによる電子フォームのユーザ記入は、コンピュータシステムがユーザの動作に応答してフォーム更新する必要があるものの、フォームの手動記入である。フォームはコンピュータシステムによって自動的に記入されてもよく、その場合、コンピュータシステム（例えばコンピュータシステム上で稼働するソフトウェア）がフォームのフィールドを解析し、フィールドへの回答を指定するユーザ入力なしでフォームへの記入を行う。上に示したように、ユーザはフォームの自動記入を起動することができるが、それはフォームの実際の記入には関与しない（例えば、ユーザはフィールドへの回答を手動で指定しておらず、それらは自動的に記入されている）。本明細書は、ユーザが取った行動に応答して自動的に実行される動作の様々な例を提供する。
【００２３】
図１ - ユーザ端末
図１は、一実施形態に係る例示的なユーザ端末（ＵＥ）１０６を示す。用語ＵＥ１０６は、先に定義された様々な機器のいずれであってもよい。ＵＥ装置１０６は、様々な材料のいずれかから構成されてよい筐体１２を含むことができる。ＵＥ１０６はディスプレイ１４を有することができ、ディスプレイ１４は容量性接触電極を組み込んだタッチスクリーンであってよい。ディスプレイ１４は、様々なディスプレイ技術のいずれに基づいてもよい。ＵＥ１０６の筐体１２は、ホームボタン１６、スピーカポート１８、およびマイクロホン、データポート、および、場合によっては例えばボリュームボタン、リンガーボタンなど様々な他のタイプのボタンのような他の要素（図示せず）などの様々な要素のいずれかのための開口部を含むか、有することができる。
【００２４】
ＵＥ１０６は、複数の無線アクセス技術（ＲＡＴ）をサポートしてもよい。例えば、ＵＥ１０６は、ＧＳＭ(Global System for Mobile Communications)、ＵＭＴＳ(Universal Mobile Telecommunications System)、ＣＤＭＡ(Code Division Multiple Access)、例えばCDMA2000 １ｘＲＴＴや他のCDMA無線アクセス技術、ＬＴＥ(Long Term Evolution)、ＬＴＥ−Ａ(LTE Advanced)および／または他のＲＡＴの２つ以上のような種々のＲＡＴのいずれかを用いて通信するように構成されてよい。例えば、ＵＥ１０６は、ＬＴＥおよびＧＳＭのような少なくとも２つの無線アクセス技術をサポートしてもよい。要望に応じて、異なる、または他の様々なＲＡＴがサポートされてもよい。
【００２５】
ＵＥ１０６は、少なくとも２つのアンテナを有してよい。ＵＥ１０６はまた、１つ以上の送信機チェーン（ＴＸチェーン）および２つ以上の受信機チェーン（ＲＸチェーン）の種々の組み合わせのような、種々の無線機構成のいずれかを有してよい。例えば、ＵＥ１０６は、各々が１つ以上のＲＡＴをサポートしてよい２つの無線機を有してよい。２つの無線機はそれぞれ、１つのＴＸ（送信）チェーンと、１つのＲＸ（受信）チェーンを有してよい。あるいは、２つの無線機はそれぞれ、ＲＸチェーンを有し、１つのＴＸチェーンを共有してもよい。
【００２６】
本明細書に記載される実施形態において、ＵＥ１０６は、２つ以上のＲＡＴを用いて通信する２つのアンテナを有する。例えば、ＵＥ１０６は、それぞれが別個の１つの無線機に接続されている、１組の携帯電話アンテナを有してよい。２つの無線機が１つのＴＸチェーンを共有する場合、アンテナは、切り替え回路と他の無線周波数フロントエンド回路とを用いて、無線機の共有部分（共有無線通信回路）に接続されてよい。例えば、ＵＥ１０６は、送受信機または無線機に接続された第１のアンテナ、すなわち、送信のために送信機チェーン（ＴＸチェーン）に接続され、かつ受信のために第１の受信機チェーン（ＲＸチェーン）に接続された第１のアンテナ、を有してよい。ＵＥ１０６はまた、第２のＲＸチェーンに接続された第２のアンテナを有してよい。第２のアンテナもまた、第１のＴＸチェーンに接続されてよい。第１および第２の受信機チェーンは、２つの無線機のそれぞれでの同時音声通話を可能にするため、別個の周波数であってよい。第１および第２の受信チェーンはさらに、共通の局部発振器を共有してもよく、つまり、第１および第２の受信チェーンはいずれも同じ周波数に同調可能である。
【００２７】
いくつかの実施形態において、各無線機は、ＬＴＥおよび、ＧＳＭやＣＤＭＡ１ｘのような他のＲＡＴの１つ以上のような２つ以上のＲＡＴを時分割多重してもよい。本明細書に記載される主要な実施形態において、ＵＥ１０６は、それぞれが１つの送信機チェーンおよび１つの受信機チェーンを有する、２つの無線機を有し、各無線機はＬＴＥとＧＳＭのような２つ（またはそれより多くの）ＲＡＴを時分割多重することができる。
【００２８】
各アンテナは６００ＭＨｚから３ＧＨｚといった広範囲の周波数を受信してよい。したがって、例えば、１つの受信機チェーンの局部発振器は、ＬＴＥ周波数帯域のような特定の周波数に同調してもよい。ＵＥ１０６の無線回路は、ＵＥ１０６に求められる動作モードに応じてリアルタイムに構成することができる。本明細書に記載される例示的な実施形態では、ＵＥ１０６がＬＴＥ、ＧＳＭ、および１ｘの無線アクセス技術をサポートするように構成されている。
【００２９】
いくつかの実施形態において、ＵＥ１０６は、各々が１つ以上のＲＡＴをサポートする１つ以上の加入者識別モジュール（ＳＩＭ）を有する。例えば、第１のＳＩＭはＧＳＭ、”１ｘ”（符号分割多元接続２０００(CDMA2000) １ｘ）、１ｘＥＶ−ＤＯ（Evolution-Data Only)、Ｗ−ＣＤＭＡ（広帯域符号分割多元接続）、およびＬＴＥ(Long Term Evolution)の１つ以上をサポートしてよい。いくつかの実施形態において、第２のＳＩＭは、ＧＳＭをサポートしてよい。他の実施形態において第２のＳＩＭは、ＬＴＥのような他の追加のＲＡＴをサポートしてもよい。
【００３０】
図２ - 通信システム
図２は、例示的な（かつ単純化された）無線通信システムを示す。なお、図２のシステムは、可能性のあるシステムの単なる一例であり、要求に応じて実施形態は様々なシステムのいずれでも実施されうることに留意されたい。
【００３１】
図示の通り、例示的な無線通信システムは、ＵＥ１０６として表される１つ以上のユーザ端末（ＵＥ）装置と伝送媒体を介して通信する基地局１０２Ａおよび１０２Ｂを含む。基地局１０２は、基地送受信機局（ＢＴＳ）またはセルサイトであってもよく、そしてＵＥ１０６との無線通信を可能にするハードウェアを含むことができる。基地局１０２のそれぞれは、コアネットワーク１００と通信する機能をさらに有してもよい。例えば、基地局１０２Ａはコアネットワーク１００Ａに接続され、一方で基地局１０２Ｂがコアネットワーク１００Ｂに接続されてよい。コアネットワーク１００のそれぞれは、さらに（例えば、外部ネットワーク１０８のような）１つ以上の外部ネットワークに接続されてよい。外部ネットワークは、インターネット、公衆交換電話網（ＰＳＴＮ）、および／または他のネットワークを含んでよい。したがって、基地局１０２は、ＵＥ装置１０６間、および／またはＵＥ装置１０６とネットワーク１００Ａ、１００Ｂ、および１０８との間の通信を容易にすることができる。
【００３２】
基地局１０２と複数のＵＥ１０６は、ＧＳＭ、ＵＭＴＳ、ＬＴＥ、ＬＴＥ−Ａ、ＣＤＭＡ２０００（例えば１ｘＲＴＴ、１ｘＥＶ−ＤＯ、ＨＲＰＤ、ｅＨＲＰＤ）などのような様々なＲＡＴ（無線通信技術や通信規格とも呼ばれる）のいずれかを用いて伝送媒体を介して通信するように構成されてよい。
【００３３】
基地局１０２Ａとコアネットワーク１００Ａは第１のＲＡＴ（例えばＬＴＥ）に従って動作してよく、基地局１０２Ｂとコアネットワーク１００Ｂは第２の（例えば、別の）ＲＡＴ（例えば、ＧＳＭ、ＣＤＭＡ２０００、または他のレガシあるいは回線交換技術）に従って動作してよい。２つのコアネットワークは、要求に応じて、同じネットワークオペレータ（例えば、携帯電話サービスプロバイダまたは「キャリア」）によって、あるいは別個のネットワークオペレータによって制御されうる。また、２つのコアネットワークは、互いに独立して操作されてもよいし（例えば、コアネットワークが別個のＲＡＴに従って動作する場合）、またはある程度関連した方法、あるいは緊密に関連した方法で操作されてもよい。
【００３４】
図２に示した例示的なネットワーク構成に記載されるように、２つの異なるＲＡＴをサポートするために２つの異なるネットワークを用いてもよいが、複数のＲＡＴを実施する他のネットワーク構成も可能であることにも留意されたい。一例として、基地局１０２Ａおよび１０２Ｂは、同一のコアネットワークに接続しながら、異なるＲＡＴに従って動作するかもしれない。別の例として、異なるＲＡＴ（例えば、ＬＴＥおよびＧＳＭ、ＬＴＥおよびＣＤＭＡ２０００ １ｘＲＴＴ、および／またはＲＡＴの他の任意の組合せ）を同時にサポート可能なマルチモード基地局は、その異なるセルラ通信技術をサポートするコアネットワークに接続されるかもしれない。一実施形態においてＵＥ１０６は、パケット交換技術（例えば、ＬＴＥ）である第１のＲＡＴと、回路交換技術（例えば、ＧＳＭまたは１ｘＲＴＴ）である第２のＲＡＴとを用いるように構成されてもよい。
【００３５】
上述したように、ＵＥ１０６は、３ＧＰＰ、３ＧＰＰ２、または任意の所望のセルラ規格に含まれるような複数のＲＡＴを用いて通信可能であってよい。ＵＥ１０６はまた、ＷＬＡＮ、ブルートゥース、グローバルナビゲーション衛星システム（ＧＮＳＳ、例えば、ＧＰＳまたはＧＬＯＮＡＳＳ）の１つ以上、１つおよび／または複数のモバイルテレビ放送規格（例えば、ＡＴＳＣ−Ｍ／ＨまたはＤＶＢ−Ｈ）などを用いて通信するように構成されてもよい。ネットワーク通信規格の他の組み合わせもまた可能である。
【００３６】
したがって、同一または異なるＲＡＴまたはセルラ通信規格に従って動作する基地局１０２Ａおよび１０２Ｂならびに他の基地局は、１つ以上の無線アクセス技術（ＲＡＴ）によって広い地理的領域にわたって途切れなく、またはほぼ途切れなく共通したサービスをＵＥ１０６および同様の装置に提供可能なセルのネットワークとして提供されうる。
【００３７】
図3 - 基地局
図３は、基地局１０２の例示的なブロック図を示す。なお、図３の基地局は可能性のある基地局の単なる一例に過ぎないことに留意されたい。図示のとおり基地局１０２は、基地局１０２のためのプログラム命令を実行することができる１つ以上のプロセッサ５０４を含んでもよい。１つ以上のプロセッサ５０４はまた、メモリ管理ユニット（ＭＭＵ）５４０にも接続されてよく、ＭＭＵ５４０は１つ以上のプロセッサ５０４からアドレスを受信し、それらのアドレスをメモリ（例えばメモリ５６０および読み出し専用メモリ（ＲＯＭ）５５０）内の位置や、他の回路または装置に変換するように構成されてよい。
【００３８】
基地局１０２は、少なくとも１つのネットワークポート５７０を含むことができる。ネットワークポート５７０は、電話網に接続し、ＵＥ装置１０６のような複数の装置に、上述したような電話ネットワークへのアクセスを提供するように構成されてよい。
【００３９】
ネットワークポート５７０（または追加のネットワークポート）はさらに、または代替的に、セルラネットワーク、例えば、セルラサービスプロバイダのコアネットワークに接続するように構成されてもよい。コアネットワークは、ＵＥ装置１０６などの複数の装置に、モビリティ関連サービスおよび／または他のサービスを提供してよい。場合により、ネットワークポート５７０がコアネットワークを介して電話網に接続してもよいし、および／またはコアネットワークが（例えば、同じセルラサービスプロバイダによってサービスされる他のＵＥ装置１０６との間に）電話ネットワークを提供してもよい。
【００４０】
基地局１０２は、少なくとも１つのアンテナ５３４を含んでよい。少なくとも１つのアンテナ５３４は無線送受信機として動作するように構成されてよく、さらに、無線機５３０を介してＵＥ装置１０６と通信するように構成されてもよい。アンテナ５３４は、通信チェーン５３２を介して無線機５３０と通信する。通信チェーン５３２は、受信チェーンと、送信チェーン、またはその両方であってよい。無線機５３０は、ＬＴＥ、ＧＳＭ、ＷＣＤＭＡ、ＣＤＭＡ２０００などを含む様々なＲＡＴによって通信するように構成されてよいが、ＲＡＴはここに例示したものに限定されない。
【００４１】
基地局１０２の１つ以上のプロセッサ５０４は、例えば記憶媒体（例えば、恒久的なコンピュータ可読記憶媒体）に格納されたプログラム命令を実行することにより、本明細書に記載された方法の一部または全部を実施するように構成されてよい。あるいは、プロセッサ５０４は、ＦＰＧＡ（フィールドプログラマブルゲートアレイ）などのプログラマブルハードウェア要素として、またはＡＳＩＣ（特定用途向け集積回路）として、またはそれらの組み合わせとして構成されてよい。
【００４２】
図４ - ユーザ端末（ＵＥ）
図４は、ＵＥ１０６の簡略化したブロック図の例を示す。図示の通りＵＥ１０６は、様々な目的のための部分を含むことができるシステムオンチップ（ＳＯＣ）400を含んでよい。ＳＯＣ４００は、ＵＥ１０６の様々な他の回路に接続してもよい。例えば、ＵＥ１０６は、（例えばＮＡＮＤフラッシュ４１０を含む）様々なタイプのメモリ、（例えば、コンピュータシステム、ドック、充電ステーションなどに接続するための）コネクタインタフェース４２０、ディスプレイ４６０、ＬＴＥ、ＧＳＭといったセルラ通信回路４３０、および近距離無線通信回路４２９（例えば、ブルートゥースおよび無線LAN回路）を含んでよい。ＵＥ１０６はさらに、１つ以上のＵＩＣＣ(Universal Integrated Circuit Card)のような、ＳＩＭ（加入者識別モジュール）の機能を有する１つ以上のスマートカード３１０を含んでもよい。セルラ通信回路４３０は１つ以上のアンテナ、好ましくは図示されるように２つのアンテナ４３５および４３６、に接続してよい。近距離無線通信回路４２９もまた、アンテナ４３５および４３６の一方または両方に接続してよい（この接続可能性については、図の平易さのために示していない）。
【００４３】
図示のとおりＳＯＣ４００は、ＵＥ１０６および表示回路４０４のためのプログラムを実行することのできる１つ以上のプロセッサ４０２を含んでよい。表示回路４０４はグラフィックス処理を実行し、ディスプレイ４６０に表示信号を提供することができる。１つ以上のプロセッサ４０２は、メモリ管理ユニット（ＭＭＵ）４４０にも接続されてよい。ＭＭＵ４４０は１つ以上のプロセッサ４０２からのアドレスを受信し、それらのアドレスをメモリ（例えばメモリ４０６、読み出し専用メモリ（ＲＯＭ）４５０、ＮＡＮＤフラッシュメモリ４１０）内の位置、および／または表示回路４０４、セルラ通信回路４３０、短距離無線通信回路４２９、コネクタＩ／Ｆ４２０、および／またはディスプレイ４６０のような他の回路や装置に変換する。ＭＭＵ４４０はメモリ保護およびページテーブルの変換や設定を行うように構成されてよい。いくつかの実施形態においてＭＭＵ４４０は１つ以上のプロセッサ４０２の一部として含まれてもよい。
【００４４】
上述したように、一実施形態においてＵＥ１０６は、ＵＩＣＣ３１０のような、加入者識別モジュール（ＳＩＭ）アプリケーションを実行する、および／またはＳＩＭ機能を実装する少なくとも１つのスマートカード３１０を有する。少なくとも１つのスマートカード３１０は単一のスマートカード３１０だけであってもよいし、ＵＥ１０６は２つ以上のスマートカード３１０を有してもよい。各スマートカード３１０は例えばＵＥ内の回路基板に半田付けされるなど、組み込みされてもよいし、各スマートカード３１０は取り外し可能なスマートカードとして実装されてもよい。したがって、１つ以上のスマートカード３１０は、（「ＳＩＭカード」とも呼ばれるＵＩＣＣカードのような）１つ以上の取り外し可能なスマートカードであってもよく、および／または１つ以上のスマートカード３１０は、（「ｅＳＩＭ」や「ｅＳＩＭカード」とも呼ばれる組み込みＵＩＣＣ（ｅＵＩＣＣ）のような、１つ以上の組み込みカードであってもよい。（１つ以上のスマートカード３１０がｅＵＩＣＣを含む場合のような）いくつかの実施形態において、１つ以上のスマートカード３１０は組み込みＳＩＭ（ｅＳＩＭ）の機能を実施してよい。このような実施形態において、単一のスマートカード３１０が複数のＳＩＭアプリケーションを実行してもよい。１つ以上のスマートカード３１０の各々は、プロセッサおよびメモリのような部品を含むことができる。ＳＩＭ／ｅＳＩＭ機能を実行するための命令はメモリに格納され、プロセッサによって実行されてよい。一実施形態においてＵＥ１０６は、必要に応じて、取り外し可能なスマートカードおよび（例えば、ｅＳＩＭ機能を実装する１つ以上のｅＵＩＣＣカードのような）固定／取り外し不能なスマートカードの組み合わせを有してもよい。例えばＵＥ１０６は、２つの組み込みスマートカード３１０、２つの取り外し可能なスマートカード３１０、または１つの組み込みスマートカード３１０と１つの取り外し可能なスマートカード３１０の組み合わせを有することができる。種々の他のＳＩＭ構成もまた考えられる。
【００４５】
上述したように、一実施形態においてＵＥ１０６は、それぞれがＳＩＭ機能を実装する２つ以上のスマートカード３１０を有する。ＵＥ１０６における２つ以上のＳＩＭスマートカード３１０の包含により、ＵＥ１０６が２つの異なる電話番号をサポート可能になり、また対応する２つ以上の別個のネットワークでＵＥ１０６が通信することが可能になるであろう。例えば、第１のスマートカード３１０はＬＥＴのような第１のＲＡＴをサポートするためのＳＩＭ機能を有してよく、第２のスマートカード３１０は、ＧＳＭのような第２のＲＡＴをサポートするためのＳＩＭ機能を有してよい。もちろん、他の実装およびＲＡＴも可能である。ＵＥ１０６が２つのスマートカード３１０を有する場合、ＵＥ１０６は、デュアルＳＩＭデュアルアクティブ（ＤＳＤＡ）機能をサポートすることができる。ＤＳＤＡ機能は、ＵＥ１０６が同時に２つのネットワークに接続する（そして２つの異なるＲＡＴを使用する）ことを可能にすることができる。ＤＳＤＡ機能はさらに、ＵＥ１０６がどちらの電話番号でも音声通話やデータトラフィックを同時に受信することを可能にすることができる。別の実施形態においてＵＥ１０６は、デュアルＳＩＭデュアルスタンバイ（ＤＳＤＳ）機能をサポートする。ＤＳＤＳ機能は、ＵＥ１０６の２つのスマートカード３１０のいずれもが音声通話および／またはデータ接続を待ち受け可能とすることができる。ＤＳＤＳでは、１つのＳＩＭ３１０で呼／データが確立すると、もう一方のＳＩＭ３１０はアクティブでは無くなる。一実施形態において、ＤＳＤｘ機能（ＤＳＤＡまたはＤＳＤＳ機能のいずれか）は、異なるキャリアおよび／またはＲＡＴについて複数のＳＩＭアプリケーションを実行する単一のスマートカード（例えばｅＵＩＣＣ）よって実施されてもよい。
【００４６】
上述したように、ＵＥ１０６は、複数の無線アクセス技術（ＲＡＴ）を用いて無線通信するように構成することができる。そのような場合、やはり上述したように、セルラ通信回路（１つ以上の無線機）４３０は、複数のＲＡＴ間で共有される無線構成要素を含むことができる。いくつかの実施形態において、セルラ通信回路４３０は、それぞれが受信チェーンおよび送信チェーンを有する２つの別個の無線機を有してよい。いくつかの実施形態において、この２つの無線機は別個のＲＡＴスタックをサポートすることができる。さらに、または代替的に、ＲＡＴスタックの１つ以上がどちらの無線機も利用可能であってもよい。
【００４７】
本明細書で説明するように、ＵＥ１０６は、本明細書に記載されるような２つ以上のＲＡＴを用いて通信するための機能を実施するためのハードウェアおよびソフトウェア部品を含むことができる。ＵＥ装置１０６のプロセッサ４０２は、例えば記憶媒体（例えば、恒久的なコンピュータ可読記憶媒体）に格納されたプログラム命令を実行することにより、本明細書に記載の機能の一部または全部を実施するように構成されてよい。あるいは（またはさらに）、プロセッサ４０２は、ＦＰＧＡ（フィールドプログラマブルゲートアレイ）のようなプログラマブルハードウェア要素として、またはＡＳＩＣ（特定用途向け集積回路）として構成されてもよい。あるいは（またはさらに）ＵＥ１０６のプロセッサ４０２は、他の構成要素400、404、406、410、420、430、435、440、450、460とともに、本命再訴ｙに記載された機能の一部または全部を実施するように構成されてもよい。
【００４８】
図５Ａおよび５Ｂ - ＵＥ送信／受信ロジック
図５Ａは、一実施形態に係るＵＥ１０６の一部を示す。図示のとおり、ＵＥ１０６は、ＵＥ１０６で制御アルゴリズムを実施するための制御コードを格納ならびに実行するように構成された制御回路４２を含んでもよい。制御回路４２は、記憶および処理回路２８（例えば、マイクロプロセッサ、メモリ回路など）を含むことができ、さらにベースバンドプロセッサ集積回路５８を含むことができる。ベースバンドプロセッサ５８は、無線回路３４の一部を形成してもよく、またメモリおよび処理回路を含むことができる（すなわち、ベースバンドプロセッサ５８は、ＵＥ１０６の記憶及び処理回路の一部を形成するとみなすことができる）。ベースバンドプロセッサ５８は、とりわけ、ＧＳＭプロトコルスタック７２、ＬＴＥプロトコルスタック７４、および１ｘプロトコルスタック７６のような種々の異なるＲＡＴを処理するためのソフトウェアおよび／またはロジックを有してもよい。
【００４９】
ベースバンドプロセッサ５８は、経路４８を介して記憶および処理回路２８（例えば、マイクロプロセッサ、不揮発性メモリ、揮発性メモリ、他の制御回路）にデータを提供してもよい。経路４８上のデータは、セルラ通信データのような、ＵＥセルラ通信および動作に関する生データおよび処理済みのデータ、受信信号に関する無線（アンテナ）性能測定基準(metric)、チューンアウェイ(tune-away)動作に関する情報、呼び出し動作に関する情報などを含みうる。この情報は、記憶および処理回路２８および／またはベースバンドプロセッサ５８によって解析されてよく、それに応じて記憶および処理回路２８（または、必要に応じてベースバンドプロセッサ５８）は、無線回路３４を制御するための制御コマンドを発行することができる。例えば、記憶および処理回路２８は経路５２および経路５０に制御コマンドを発行することができ、および／またはベースバンドプロセッサ５８は経路４６および経路５１に制御コマンドを発行することができる。
【００５０】
無線回路３４は、無線周波数送受信機回路６０および無線周波数フロントエンド回路６２のような無線周波数送受信機回路を含むことができる。無線周波数送受信機回路６０は、１つ以上の無線周波数送受信機を含むことができる。図示される実施形態において、無線周波数送受信機回路６０は、送信機（ＴＸ）チェーン５９、受信機（ＲＸ）チェーン６１、およびＲＸチェーン６３を有している。図示された実施形態は、１つのＴＸチェーンを共有する２つの無線機を有するものとみなすことができる。もちろん、他の実施形態も考えられる。
【００５１】
図５Ｂに示すように、無線周波数送受信機回路６０は、２つ以上のＴＸチェーンおよび２つ以上のＲＸチェーンを有してもよい。例えば、図５Ｂは、第１の無線機５７がＴＸチェーン５９およびＲＸチェーン６１を有し、第２の無線機６３が第１のＴＸチェーン６５と第２のＴＸチェーン６７を有する実施形態を示している。図５Ａの実施形態に、すなわち図示される１つのＴＸチェーン５９と２つのＲＸチェーン６１および６３に加えて、さらなるＴＸ／ＲＸ受信チェインが含まれる実施形態も考えられる。複数のＴＸおよびＲＸチェーンを有するこれらの実施形態では、１つの無線機がだけが現在アクティブである場合、２番目の無線機は電力を節約するためオフにされてもよい。したがって、用語「無線機(radio)」は、それの一般的かつ許容される意味の最も広い範囲を有するものとして定義されてよく、また、１つ以上のＲＸチェーンおよび、単一のＴＸチェーンまたは他の無線機と共用されるＴＸチェーンのいずれかを含む、一般的に無線機が有するロジックを有する。本明細書に記載される特定の実施形態は、２つの無線が同時に動作するときの性能を向上させるように機能することができる。
【００５２】
ベースバンドプロセッサ５８は、記憶および処理回路２８から送信されるデジタルデータを受信することができ、対応する無線周波数信号を送信するために、経路４６および無線周波数送受信機回路６０を用いることができる。無線周波数フロントエンド６２は、無線周波数送受信機６０とアンテナ４０との間に接続され、無線周波数送受信機回路６０によって生成される無線周波数信号をアンテナ４０に搬送するために用いられてよい。無線周波数フロントエンド６２は、無線周波数スイッチ、インピーダンス整合回路、フィルタ、およびアンテナ４０と無線周波数送受信機６０との間のインターフェースを形成するための他の回路を含むことができる。
【００５３】
アンテナ４０によって受信された入来無線周波数信号は、無線周波数フロントエンド６２、経路５４および５６のような経路、無線周波数送受信機回路６０の受信機回路、および経路４６のような経路を介してベースバンドプロセッサ５８に供給されてよい。経路５４は例えば、送受信機５８に関連する信号の処理で用いることができ、一方で経路５６は送受信機６３に関連する信号の処理で用いることができる。ベースバンドプロセッサ５８は、受信信号を、記憶および処理回路２８に供給されるデジタルデータに変換することができる。ベースバンドプロセッサ５８はまた、送受信機が現在同調されたチャネルに関する信号品質を示す情報を受信信号から抽出することができる。例えば、ベースバンドプロセッサ５８および／または制御回路４２の他の回路は、ビット誤り率測定値、入来無線信号に関する電力量についての測定値、強度表示（ＲＳＳＩ）情報、受信信号符号電力（ＲＳＣＰ）情報、基準シンボル受信電力（ＲＳＲＰ）情報、信号対干渉比（ＳＩＮＲ）情報、信号対雑音比（ＳＮＲ）情報、Ｅｃ／ＩｏまたはＥｃ／Ｎｏデータのような信号品質データに基づくチャネル品質測定値などの様々な測定値を生成するために、受信信号を解析することができる。
【００５４】
無線周波数フロントエンド６２は、切り替え回路を含んでもよい。切り替え回路は、制御回路４２からの制御信号（例えば、経路５０を介した記憶および処理回路２８からの制御信号および／または経路５１を介したベースバンドプロセッサ５８からの制御信号）によって設定されてもよい。切り替え回路は、アンテナ４０Ａおよび４０Ｂに１つ以上のＴＸおよびＲＸチェーンを接続するために用いられるスイッチ（スイッチ回路）を含むことができる。無線周波数送受信機回路６０は、経路５２を通じて記憶および処理回路から受信する制御信号および／または経路４６を通じてベースバンドプロセッサ５８から受信する制御信号によって設定されてよい。
【００５５】
制御回路４２は、複数の無線アクセス技術を処理するためのソフトウェアを実行するために用いられてよい。例えば、ベースバンドプロセッサ５８は、ＧＳＭプロトコルスタック７２、ＬＴＥプロトコルスタック７４、および１ｘプロトコルスタック７６のような複数のプロトコルスタックを実施するためのメモリおよび制御回路を含むことができる。したがって、プロトコルスタック７２はＧＳＭ（一例）のような第１の無線アクセス技術に関連付けられてよく、プロトコルスタック７４はＬＴＥ（一例）のような第２の無線アクセス技術に関連付けられてよく、プロトコルスタック７６は１ｘ（一例）のような第３の無線アクセス技術に関連付けられてよい。ＵＥ１０６は動作中にＧＳＭの機能を処理すツタ目にＧＳＭプロトコルスタック７２を用い、ＬＴＥの機能を処理するためにＬＴＥプロトコルスタック７４を用い、１ｘの機能を処理するために１ｘプロトコルスタック７６を用いることができる。
【００５６】
複数のプロトコルスタックは、（例えば１つ以上の（図５ＡおよびＢに不図示の）ＵＩＣＣ３１０によって実行されるような）複数のＳＩＭカードまたは複数のＳＩＭアプリケーションを有する単一のＳＩＭカードとして実施されうる、２つ以上のＳＩＭによってサポートされてもよい。他の実施形態においてベースバンドプロセッサ５８は、それぞれが別個のプロトコルスタックセットを実施するように構成された複数のベースバンドプロセッサを有してもよい。例えば、第１のベースバンドプロセッサはＧＳＭプロトコルスタックを実施することができ、第２のベースバンドプロセッサは１ｘおよびＬＴＥプロトコルスタックを実施することができる。この実施形態において、第１および第２のベースバンドプロセッサの各々は、別個のＳＩＭによってサポートされてもよい。例えば、第１のベースバンドプロセッサに接続された第１のＳＩＭはＧＳＭプロトコルスタックをサポートするＳＩＭ機能を提供することができ、第２のベースバンドプロセッサに接続された第２のＳＩＭは１ｘおよびＬＴＥプロトコルスタックをサポートするＳＩＭ機能を提供することができる。
【００５７】
ＵＥ１０６は必要ならば追加のプロトコルスタック、追加の送受信機、追加のアンテナ４０、および他の追加のハードウェアおよび／またはソフトウェアを用いてもよい。図５Ａおよび５Ｂの構成は単なる例示である。一実施形態において、１つ以上のプロトコルスタックが、以下のフローチャートに記載される方法を実施するように構成されてもよい。
【００５８】
ＬＴＥ ＲＡＴはデータトラフィックの搬送に用いられることが多いのに対し、ＧＳＭおよび１ｘ ＲＡＴは音声トラフィックの搬送に用いられることが多い。その音声通話がデータトラフィックに起因して中断されないことを保証するため、ＧＳＭおよび１ｘの動作をＬＴＥの動作よりも優先することができる。入来呼び出し信号に関するＧＳＭ呼び出しチャネルの監視のような動作が不必要にＬＴＥ動作を混乱させないことを保証するため、制御回路４２は、可能な場合は常に、無線リソースがＬＴＥ機能とＧＳＭおよび１ｘ機能との間で共有されるようにＵＥ１０６の無線回路を設定する。
【００５９】
例えば、ユーザが入来ＧＳＭ呼を有する場合、ＧＳＭネットワークは、基地局１０２を用いてＧＳＭ呼び出しチャネル上でＵＥ１０６に呼び出し信号を送信する（呼び出しと呼ばれることもある）ことができる。ＵＥ１０６が入来呼び出しを検出すると、ＵＥ１０６は、入来ＧＳＭ呼を設定し受信するための適切な動作（例えば呼確立手順）を実行することができる。ＵＥ１０６のような装置が正常に呼び出しを受信するための機会を複数有するよう、呼び出しは複数回送信されるのが一般的である。
【００６０】
適切なＧＳＭ呼び出し受信には、ＵＥ１０６の無線回路が定期的にＧＳＭ呼び出しチャンネルに同調される（チューンアウェイ動作と呼ばれる）ことが必要となりうる。送受信機回路６０がＧＳＭ呼び出しチャネルへの同調に失敗した場合や、ベースバンドプロセッサ５８内のＧＳＭプロトコルスタック７２が呼び出しチャネルで入来呼び出しの監視に失敗した場合、ＧＳＭ呼び出しは見逃されるであろう。一方、ＧＳＭ呼び出しチャンネルの過剰な監視は、アクティブなＬＴＥデータセッションに悪影響を及ぼしうる。
【００６１】
いくつかの実施形態において、ＵＥ１０６が電力を節約するために、プロトコルスタック７２〜７６の１つ以上がアイドルモード動作をサポートすることができる。また、プロトコルスタック７２〜７６の１つ以上が不連続受信（ＤＲＸ）モードおよび／または接続不連続受信（ＣＤＲＸ）モードをサポートしてもよい。ＤＲＸモードは、電力を節約するため、受信すべきデータ（または音声）がないときにＵＥの回路の少なくとも一部を用いないモードである。ＤＲＸとＣＤＲＸモードにおいてＵＥ１０６は、基地局１０２と同期し、ネットワークをリスンするために指定された時刻または間隔でウェイクアップすることができる。同様に、プロトコルスタック７２〜７６の１つ以上が不連続送信（ＤＴＸ）モードをサポートするしてもよい。ＤＴＸモードは、電力を節約するため、送信すべきデータ（または音声）がないときにＵＥの回路の少なくとも一部を用いないモードである。例えば、音声通話中、ユーザが話していない間にＵＥはＤＴＸモードを実施することができる。ＤＲＸとＤＴＸは、ＵＭＴＳ、ＬＴＥ(Long-term evolution)、ＷｉＭＡＸなどのような、いくつかの無線規格に存在する。用語「アイドルモード」、「ＤＲＸ」、「ＣＤＲＸ」、および「ＤＴＸ」は、その一般的な意味の全範囲を少なくとも含むことが意図されているだけでなく、将来の規格における同様のタイプのモードも包含することが明示的に意図されている。
【００６２】
図６ - データとデュアル音声通信との同時実施
図６は、少なくとも２つの無線機を含む（例えば、ＵＥ１０６のような）ＵＥでデータ伝送を実行するための方法を示すフローチャート図である。図６に示す方法は、とりわけ、上述の図に示したシステムや装置のいずれかと共に用いることができる。様々な実施形態において、図示される方法の要素のいくつかは同時に実行されたり、図示されたものとは異なる順序で実行されたり、省略されたりしてもよい。なお、必要に応じてさらなる方法の要素が実行されてもよいことに留意されたい。方法は、以下の様に実行されてよい。
【００６３】
図示の通り、６０２でＵＥ１０６は、第１の無線機で第１の音声通話を、第２の無線機で第２の音声通話を、同時に行うことができる。すなわち、第１の音声通話および第２の音声通話の両方がアクティブであってよい。ここで、「アクティブな通話」は、進行中の通話、または接続されている通話を指す。アクティブな通話は、保留中(on hold)、無音(silent)、または完全にアクティブでありうる。「保留中」の通話の間、ユーザは、通話を保留するためのオプションを手動で選択したかもしれない。「無音」の通話の間、通話は保留されていないが、ユーザは積極的に通話に参加してはいない（すなわちユーザが通話に十分積極的という訳ではない）。「完全にアクティブ」の通話の間、ユーザは通話で積極的に話しているか、聴いている。
【００６４】
典型的なシナリオにおいてユーザは第１の音声通話で完全にアクティブであり、その後、第２の音声通話がＵＥ１０６で受信されてよい。ユーザは、最初の通話を保留中にして、第２の通話に応答することを選択してよい。あるいは、ユーザは、第２の音声通話に応答しながら、最初の通話を「無音」にさせてもよい。最初の音声通話がＵＥ１０６で受信されると、最初の音声通話を処理するために第１の無線機を制御するため、第１のプロトコルスタックが実行されてよい。第２の通話が受信されると、第２の音声通話を処理するため、第２のプロトコルスタックが実行されてよい。
【００６５】
いくつかの実施形態では、２つの音声通話が別個のＲＡ用いてもよい。例えば、第１の音声通話はＧＳＭプロトコルスタックを用いて実行することができ、第２の音声通話は１ｘプロトコルスタックを用いて実行することができる。他の実施形態では、２つの音声通話が同じＲＡＴを利用することができる。例えば、最初の音声通話を第１のＧＳＭプロトコルスタックを用いて実行することができ、第２の音声通話を第２のＧＳＭプロトコルスタックを用いて実行することができる。いくつかの実施形態においてＵＥは、それぞれが音声通話の１つをサポートする２つのＳＩＭを有してもよい。
【００６６】
６０４においてＵＥ１０６は、第１の音声通話および第２の音声通話を同時に実行しながら、ＵＥ１０６でデータ通信を行うことの要求を受信しうる。データ通信は、データ送信および／またはデータ受信を含むことができる。例えば、ＵＥ１０６が２つのアクティブな音声通話に携わっている間（例えば、一方の音声通話が完全にアクティブで、他方の音声通話が保留中の場合）に、ＵＥ１０６が電子メールを受信したり、ユーザがインターネットを閲覧することを選択したりすることができる。
【００６７】
６０６においてＵＥ１０６は、要求に応じて、第１または第２の音声通話のいずれかが現在保留中がどうかを判別することができる。例えば、第１の通話が完全にアクティブであり、第２の音声通話が保留状態かもしれない。ＵＥ１０６は、音声通話の１つが保留中であることを、１つ以上の呼状態ビットを調べることによって判別することができる。６０８において、音声通話の１つが現在保留中であると判別されれば、ＵＥ１０６は、保留中の音声通話を有する無線機を用いてデータ通信の一部または全部を実行することができる。例えば、第２の音声通話が保留中であると判別された場合、ＵＥ１０６は、第２の音声通話が保留中の間、第２の無線機を用いてデータ通信を行うことができる。第２の無線機でデータ通信を行うために、ＵＥ１０６は、第２の無線機を用いてデータ通信を行うための第３のプロトコルスタックのインスタンスを生成(instantiate)することができる。この第３のプロトコルスタックは、第２の音声通話を処理していた第２のプロトコルスタックの代わりに実行されてもよい。例えば、ＵＥ１０６が第２の無線機における第２の音声通話を処理するためにＧＳＭプロトコルスタックを実行していて、第２の音声通話が保留中であるとする。６０４でデータ通信が要求され、６０６で第２の音声通話が保留中であると判別されると、ＵＥ１０６は、第２の無線機を制御するために、ＧＳＭプロトコルスタックの代わりにＬＴＥプロトコルスタックの実行を開始することができる。プロトコルスタックのこの「交換(swapping)」は、第２のプロトコルスタック（この例ではＧＳＭプロトコルスタック）の状態の保存する手順と、データ通信を行うために第２の無線機を制御するために第２のプロトコルスタックから第３のプロトコルスタック（この例ではＬＴＥプロトコルスタック）に交換する手順とを伴う。ＧＳＭプロトコルスタックは、（例えば第２の通話が依然として保留中かどうかを調べるために）第２の音声通話を再開させる必要があるときや、データ通信が完了したときに、ＬＴＥプロトコルスタックを置き換えるために戻されて(swap backされて)よい。
【００６８】
いくつかの実施形態において、保留中の第２の音声通話を提供しているプロトコルスタックは、オン期間とオフ期間とを有するＤＲＸモードおよび／またはＤＴＸモードで動作することができる。オン期間中、第２の無線機は第２の音声通話のための情報（例えば、無音音声フレームまたはシグナリング制御メッセージ）を送信または受信しており、オフ期間中、第２の無線機は第２の音声通話のための情報を送信または受信していない。ＤＲＸまたはＤＴＸモードのオフ期間であっても、第２の音声通話は依然としてアクティブな音声通話である見なされる。すなわち、第１の音声通話と同時に実行すべきものと見なされる。いくつかの実施形態において、ＵＥは保留された音声通話のＤＲＸまたはＤＴＸモードにおけるオフ期間中に、保留された音声通話の無線機でデータ通信を行うことができる。
【００６９】
したがって、データ通信は、音声通話とは異なるＲＡＴを用いて行うことができる。例えば、上述したように、データ通信はＬＴＥプロトコルスタックを用いて行うことができる。いくつかの実施形態において、ＵＥ１０６は、データ通信をサポートするプロトコルスタック（例えばＬＴＥスタック）が保留された音声通話が実行されている無線機でで稼働するように、保留されている音声通話をサポートするプロトコルスタック（例えばＧＳＭまたは１ｘスタック）を、データ通信をサポートするプロトコルスタック（例えばＬＴＥスタック）に切り替えてもよい。ＵＥは、無音音声フレームやシグナリング制御メッセージなどをサポートするために必要であれば、例えば一時的に、保留された音声通話をサポートするプロトコルスタック（例えば１ｘスタック）に自動的に戻すことができる。
【００７０】
データ通信の一部または全部が実行された後、ＵＥ１０６は６０６に戻ってもよい。いくつかの実施形態において、ＵＥ１０６は、特定の期間の後、例えば保留されている音声通話のＤＲＸモードのオフ期間の終了時や、特定量のデータを通信した後に６０６に戻ることができる。他の実施形態において、ＵＥ１０６は、以前に保留中であると判定された音声通話が保留中でなくなったことの判定に応じて６０６に戻ることができる。例えば、第２の音声通話の保留中にデータ通信が第２の無線機で実行されている場合、ＵＥ１０６は第２の音声通話がもはや保留中でないとの判定に応答して６０６に戻ることができる。
【００７１】
６０６においてＵＥ１０６は、第１または第２の音声通話の１つが現在保留中かどうかを再度判定することができる。同じ音声通話が保留中であると判定された場合、同じ無線機でデータ通信を継続することができる。一方、もう一方の音声通話が保留中であると判定された場合、データ通信の次の部分は、もう一方の無線機で行うことができる。
【００７２】
例えば、一つの可能性のあるシナリオにおいて、ＵＥ１０６は、第２の音声通話が例えば１ｘプロトコルスタックを用いて保留されている間、データ通信の第１の部分を第２の無線機で、例えばＬＴＥプロトコルスタックを用いて実行することができる。そして、ＵＥは、第２の音声通話がもはや保留中でないと判定し、６０６に戻ることができる。６０６においてＵＥ１０６は、例えばＧＳＭプロトコルスタックを用いて、第１の音声通話が現在保留中であると判定するかもしれない。そして６０８においてＵＥ１０６は、第１の音声通話が保留されている間、データ通信の第２の部分を第１の無線機で実行することができる。いくつかの実施形態においてＵＥ１０６は、第２の無線機でデータ通信の第１の部分を実行するために使用されたのと同じプロトコルスタック（例えば、同じＬＴＥプロトコルスタック）を用いて、第１の無線機でデータ通信の第２の部分を実行することができる。
【００７３】
このようにして、ＵＥ１０６は、第１の無線機と第２の無線機のどちらが現在保留中の音声通話を有しているかに基づいて、第１の無線機および／または第２の無線機のいずれかあるいは両方から、データ通信を実行するために利用可能なタイムスロットを動的かつ日和見的に選択することができる。例えば、ＵＥは、現在保留されている音声通話を有する無線機のＴＸチェーン上で利用可能な送信タイムスロットを探索したり、および／または現在保留されている音声通話を有する無線機のＲＸチェーン上で利用可能な受信タイムスロットを探索したりすることができる。したがって、ＵＥ１０６に２つのアクティブな音声通話が存在し、第１の通話が第１の無線機で完全にアクティブで、第２の通話が第２の無線機で保留中の状態から、第１の通話が第１の無線機で保留され、第２の通話が第２の無線機で完全にアクティブな状態になるといったことが繰り返される２つの通話をユーザが切り替えているとする。そして、ユーザがＵＥ１０６で閲覧セッションを開始したものとする。閲覧セッション中のデータパケットは、どちらの無線機が保留されているかに応じて、第１の無線機で送信および／または受信される場合と、第２の無線機で送信および／または受信される場合とが変化しうる。したがって、閲覧セッション中のデータパケットは、どちらの無線機が保留中かに応じて、基本的に第１の無線機と第２の無線機との間で交互に「ピンポン」されうる。
【００７４】
６１０において、ＵＥ１０６が第１および第２の音声通話のいずれも保留中でない、すなわちいずれの通話も無音または完全にアクティブであると判定した場合、ＵＥ１０６は、第１の無線機と第２の無線機から、データ通信を実行するために利用可能なスロットを動的に選択することができる。例えば、ＵＥ１０６は、第１および第２の無線機のそれぞれのＴＸチェーン上の利用可能な送信タイムスロットを探索したり、および／または第１および第２の無線機のそれぞれのＲＸチェーン上の利用可能な受信タイムスロットを探索したりすることができる。具体的には、ＵＥ１０６は、第１及び第２の無線機のそれぞれのＤＲＸおよび／またはＤＴＸサイクルにおける利用可能なオフ期間スロットを探索し、動的かつ日和見的にそれらのスロットをデータ通信のために用いることができる。このようにデータ通信は、どちらの無線機が利用可能なオフ期間スロットを有するかに応じて、第１の無線機と第２の無線との間で交互に「ピンポン」されうる。このようなシナリオにおいて、ユーザは、無線機の一方または両方でデータ通信を実行しながら、両方の完全にアクティブな（あるいは無音の）音声通話で同時に話したり、および／または聴いたりすることができる。
【００７５】
図７は、一実施形態に係る（ＵＥ１０６のような）ＵＥの例示的なブロック図である。ＵＥ１０６はデータ伝送を実行するように構成されており、以下の構成要素を有する。第１の無線機と、第２の無線機と、第１の無線機によって第１の音声通話を行うように構成された第１の音声通話部７０１と、第２の無線機によって第２の音声通話を実行するように構成された第２の音声通話部７０２（ここで第２の音声通話の実行は第１の音声通話と同時に実行される）と、第１の音声通話および第２の音声通話の実行中のデータ通信の実行要求を受信するように構成された要求受信部７０３と、データ通信の実行要求の受信後に第１または第２の音声通話の１つが現在保留中かどうかを判定するように構成された判定部７０４と、第１または第２の音声通話の１つが保留中であると判定された場合に、判定された音声通話の保留中に、判定された音声通話が実行されている無線機によってデータ通信を実行するように構成されたデータ通信部７０５。
【００７６】
ＵＥは、第１音声通話と第２音声通話のどちらが現在保留中かに基づいて、第１の無線機と第２の無線機とからデータ通信の実行に利用可能なスロットを動的に選択するように構成されたスロット選択部をさらに有することができる。
【００７７】
ＵＥは、判定された音声通話が実行されている無線機によってデータ通信を実行した後に、判定された音声通話がもはや保留中でないことを判定するように構成された第２の判定部と、第１または第２の音声通話のもう一方が現在保留中であることを判定するように構成された第３の判定部とををさらに有することができる。これらの実施形態において、データ通信部はさらに、第１または第２の音声通話のもう一方が実行されている無線機によってさらなるデータ通信を実行するように構成される。上でに述べた全ての機能が、図７に関して説明したようなＵＥに適用されることに留意すべきである。
【００７８】
いくつかの実施形態では、ＵＥに含まれる構成要素（部）の１つ以上が、上述したように図４の１つ以上のプロセッサ４０２によって実施されてもよい。他の実施形態において、１つ以上の構成要素が個別部品であってもよい。ＵＥに含まれる構成要素の一部または全ては、ＡＳＩＣ、ＦＰＧＡ、または任意の他の好適なハードウェア部品またはモジュールとして実施されうる。
【００７９】
本開示で説明された実施形態は、様々な形態のいずれかで実現することができる。例えば、いくつかの実施形態は、コンピュータが実行する方法、コンピュータ可読記憶媒体、またはコンピュータシステムとして実現されうる。他の実施形態は、ＡＳＩＣのような１つ以上のカスタム設計されたハードウェアデバイスを用いて実現されうる。他の実施形態は、ＦＰＧＡなどの１つまたは複数のプログラマブルハードウェア要素を用いて実現されうる。
【００８０】
いくつかの実施形態において、恒久的なコンピュータ可読記憶媒体は、プログラム命令および／またはデータを格納するように構成されてよい。ここで、このプログラム命令は、コンピュータシステムで実行された場合に、例えば、本明細書に記載された方法の実施形態のいずれか、または、本明細書に記載された方法の実施形態の任意の組み合わせ、または、本明細書に記載された方法の実施形態のいずれかの任意のサブセット、または、そのようなサブセットの任意の組み合わせ、をそのコンピュータシステムに実行させる。
【００８１】
いくつかの実施形態において、装置（例えばＵＥ）は、プロセッサ（またはプロセッサセット）および記憶媒体を含むように構成されうる。ここで、記憶媒体はプログラム命令を格納し、プロセッサは記憶媒体からプログラム命令を読み出して実行するように構成される。また、プログラム命令は、本明細書に記載された様々な方法の実施形態のいずれか（または、本明細書に記載された方法の実施形態の任意の組み合わせ、または、本明細書に記載された方法の実施形態のいずれかの任意のサブセット）を実施するために実行可能である。装置は、種々の形態のいずれかで実現されてよい。
【００８２】
上述の実施形態をかなり詳細に説明してきたが、上述の開示を完全に理解すれば、多数の派生物および変更物が当業者には明らかになるであろう。以下の特許請求の範囲はそのような派生物および変更物の全てを包含するように解釈されることが意図されている。
【図１】
0005980988.tif 000002
【図２】
0005980988.tif 000003
【図３】
0005980988.tif 000004
【図４】
0005980988.tif 000005
【図５Ａ】
0005980988.tif 000006
【図５Ｂ】
0005980988.tif 000007
【図６】
0005980988.tif 000008
【図７】
0005980988.tif 000009